(57)【要約】【課題】簡易な構成で光学ファインダ、電子ファインダの両方でＡＦ動作の状態を確認可能にする。【解決手段】一眼レフ型のデジタルカメラ１０は、撮影レンズ系１２と撮像素子１４との間に配置された半透過性の光学部材であるペリクルミラー２２を備えている。ペリクルミラー２２は、撮影レンズ系１２からの被写体像の一部を透過して撮像素子１４に、一部を反射させてファインダ光学系２０に導く。ファインダ光学系２０は、反射された被写体像を光学ファインダ１６に導く。さらに、このデジタルカメラ１０は、ペリクルミラー２２の略下方に、ＡＦ動作の状態を示すパターン光を照射する発光部材２４を備えている。発光部材２４から照射されたパターン光は、ペリクルミラー２２によって一部透過、一部反射されて、撮像素子１４および光学ファインダ１６にそれぞれ導かれる。電子ファインダであるＬＣＤ１８は、撮像素子１４で撮影されたパターン光を含む被写体像を表示する。【選択図】図１
2006350253.tif 000002
【特許請求の範囲】
【請求項１】
撮影レンズ系と、
撮影レンズ系の光軸上に配置された撮像素子と、
撮像素子によって撮影された被写体像を電気的に表示する表示手段と、
被写体像を光学的に表示する光学ファインダと、
撮影レンズ系からの被写体像を光学ファインダに導くファインダ光学系と、
撮影レンズ系と撮像素子との間に配置された半透過性の光学部材であって、撮影レンズ系からの被写体像の一部を透過して撮像素子に、一部を反射させてファインダ光学系に導く光分岐用光学部材と、
撮影条件を示す光を発する発光手段であって、その照射光が光分岐用光学部材によってファインダ光学系および撮像素子それぞれに分岐させられる位置であるとともに被写体像の光路から外れた位置に設けられた発光手段と、
を備えることを特徴とする一眼レフ型デジタルカメラ。
【請求項２】
請求項１に記載の一眼レフ型デジタルカメラであって、
発光手段は、光分岐用光学部材の略下方に設けられることを特徴とする一眼レフ型デジタルカメラ。
【請求項３】
請求項１または２に記載の一眼レフ型デジタルカメラであって、
発光手段は、合焦の成否を示す光を発することを特徴とする一眼レフ型デジタルカメラ。
【請求項４】
請求項１から３のいずれか１項に記載の一眼レフ型デジタルカメラであって、
発光手段は、少なくとも形状の異なる二種類以上のパターン光が照射可能であることを特徴とする一眼レフ型デジタルカメラ。
【請求項５】
請求項１から４のいずれか１項に記載の一眼レフ型デジタルカメラであって、
発光手段は、少なくとも光学ファインダおよび撮像素子での照射位置が異なる二種類以上のパターン光が照射可能であることを特徴とする一眼レフ型デジタルカメラ。
【請求項６】
請求項３に記載の一眼レフ型デジタルカメラであって、
撮影領域のうちユーザが予め指定した合焦検出用領域の画像データに基づいて合焦成否を判断する場合に、
発光手段は、指定された合焦検出用領域の位置に応じて、光学ファインダおよび撮像素子での照射位置が異なる複数種類のパターン光が照射可能であることを特徴とする一眼レフ型デジタルカメラ。
【発明の詳細な説明】
【技術分野】
【０００１】
本発明は、光学ファインダと電子ファインダとを備えた一眼レフ型デジタルカメラに関する。
【背景技術】
【０００２】
従来から撮影される被写体像光を光学ファインダで確認できる一眼レフ型カメラが広く知られている。かかる一眼レフ型カメラにおいて、光学ファインダには被写体像光だけでなく、撮影条件に関する各種情報、例えば、オートフォーカス時における合焦の成否情報なども表示される。これにより、ユーザは、撮影される被写体像光と、撮影条件と、を同時に確認することができるので、より簡易に好適な撮影が可能となる。光学ファインダ内への合焦成否情報等の表示は、例えば、特許文献１に記載の技術等により可能である。特許文献１には、合焦の成否に応じて点灯する光源を、光学ファインダの略斜め上に設け、当該光源からの光を、ハーフミラー等の光学部材を用いて光学ファインダに導く技術が開示されている。
【０００３】
ところで、近年、カメラのデジタル化が進み、一眼レフ型のデジタルカメラも多数流通するようになっている（例えば、特許文献２など）。一眼レフ型デジタルカメラでは、光学ファインダのほかに、撮像素子によって撮影された被写体像を電気的に表示する電子ファインダ（ビュー画面）も設けられている。ユーザは、好みや状況に応じて光学ファインダ、または、電子ファインダのいずれか一方を覗き被写体像を確認する。かかる一眼レフ型デジタルカメラにおいて、ユーザが電子ファインダと光学ファインダのいずれを使用するかは、その好みや状況によって異なるため、両ファインダは常に同一の情報を表示することが望ましい。例えば、オートフォーカス時における合焦の成否情報は、光学ファインダおよび電子ファインダの両方に表示されることが望ましい。
【０００４】
【特許文献１】特開２００２−２８７２３４号公報
【特許文献２】特開２００１−１００３０８号公報
【特許文献３】特開２００１−４２２０７号公報
【発明の開示】
【発明が解決しようとする課題】
【０００５】
しかしながら、既述の特許文献１は、光学ファインダへの合焦成否情報の表示については考慮されているものの、電子ファインダへの合焦成否情報については一切記載されていない。特許文献３には、光学ファインダおよび電子ファインダの両方に、撮影条件に関する情報（例えば、合焦評価値など）を表示する技術が開示されている。しかしながら、この特許文献３では、光学ファインダおよび電子ファインダで、それぞれ、別個の処理系統、表示手段を用いて、情報表示を行っている。そのため、表示のための処理系統や表示手段が複数必要となり、カメラの全体構成を複雑にしていた。また、部品点数の増加に伴うコスト増加等も招いていた。
【０００６】
そこで、本発明では、より簡易に光学ファインダおよび電子ファインダの両方で撮影条件を確認できる一眼レフ型デジタルカメラを提供することを目的とする。
【課題を解決するための手段】
【０００７】
本発明の一眼レフ型デジタルカメラは、撮影レンズ系と、撮影レンズ系の光軸上に配置された撮像素子と、撮像素子によって撮影された被写体像を電気的に表示する表示手段と、被写体像を光学的に表示する光学ファインダと、撮影レンズ系からの被写体像を光学ファインダに導くファインダ光学系と、撮影レンズ系と撮像素子との間に配置された半透過性の光学部材であって、撮影レンズ系からの被写体像の一部を透過して撮像素子に、一部を反射させてファインダ光学系に導く光分岐用光学部材と、撮影条件を示す光を発する発光手段であって、その照射光が光分岐用光学部材によってファインダ光学系および撮像素子それぞれに分岐させられる位置であるとともに被写体像の光路から外れた位置に設けられた発光手段と、を備えることを特徴とする。
【０００８】
好適な態様では、発光手段は、光分岐用光学部材の略下方に設けられる。他の好適な態様では、発光手段は、合焦の成否を示す光を発する。このとき、撮影領域のうちユーザが予め指定した合焦検出用領域の画像データに基づいて合焦成否を判断する場合に、発光手段は、指定された合焦検出用領域の位置に応じて、光学ファインダおよび撮像素子での照射位置が異なる複数種類のパターン光が照射可能であることが望ましい。
【０００９】
他の好適な態様では、発光手段は、少なくとも形状の異なる二種類以上のパターン光が照射可能である。発光手段は、少なくとも光学ファインダおよび撮像素子での照射位置が異なる二種類以上のパターン光が照射可能であることも望ましい。
【発明の効果】
【００１０】
本発明では、撮影条件を示す発光手段からの光を光分岐用光学部材で撮像素子および光学ファインダに分岐させて導いている。これにより、光学ファインダおよび電子ファインダの両方で撮影条件を確認できる。
【発明を実施するための最良の形態】
【００１１】
以下、本発明の実施形態について図面を参照して説明する。図１は、本発明の実施形態であるデジタルカメラ１０の概略構成を示す図である。このデジタルカメラ１０は、撮影される被写体像と同一の像を光学ファインダ１６で観察でき得る一眼レフ型となっている。
【００１２】
デジタルカメラ１０の鏡筒部３０には、フォーカシングレンズを含む複数のレンズ（図１では二枚のレンズのみを図示）から構成される撮影レンズ系１２が収容される。撮影レンズ系１２には絞り（図示せず）が設けられており、撮影レンズ系１２を透過する被写体像光の光量を適宜調節する。撮影レンズ系１２を透過した被写体像光は、カメラボディ３２へと導かれる。
【００１３】
カメラボディ３２の内部には、ペリクルミラー２２が設けられている。このペリクルミラー２２は、撮影レンズ系１２と撮像素子１４との間に配置された半透過性の光学部材、具体的にはハーフミラーである。ペリクルミラー２２は、撮影レンズ系１２からの被写体像光の一部を透過して撮像素子１４に、一部を反射させてファインダ光学系２０に導く光分岐用光学部材として機能する。このペリクルミラー２２は、シャッター４０の手前の位置に、撮影レンズ系１２の光軸に対して略４５度に傾斜して配置されている。そして、当該ペリクルミラー２２を透過した被写体像光は、その背面に位置する撮像素子１４へと至る。
【００１４】
撮像素子１４は、撮影レンズ系１２からの被写体像光を光電変換する。具体的には、撮像素子１４は、多数のＣＣＤ素子から構成されており、各ＣＣＤ素子は、撮影レンズ系１２からの被写体像光の受光量に応じた電荷を蓄積し、電気信号として出力する。出力された電気信号は、デジタル変換された後、制御ＣＰＵ２８に送信される。
【００１５】
制御ＣＰＵ２８では、得られたデジタル信号に基づいて画像データを生成し、ＬＣＤ１８へと送信する。ＬＣＤ１８はカメラの背面に設けられた表示手段であり、電子ファインダおよび撮像した画像を再生する再生用モニタとして機能する。すなわち、デジタルカメラ１０が撮影モードの場合は、撮像素子１４で光電変換された被写体像光を映し出す電子ファインダとして機能する。一方、再生モードに切り替えられた場合には、撮像済みの撮像画像を表示する再生用モニタとして機能する。また、操作に必要なメニュー画面等の表示を行い、ユーザインターフェースの一部としても機能する。
【００１６】
ペリクルミラー２２で反射された光は、当該ペリクルミラー２２の上方に位置するファインダ光学系２０へと至る。ファインダ光学系２０は、反射された被写体像光を光学ファインダ１６へと導く光学系であり、フォーカシングスクリーン３４や、ペンタプリズム３６、ファインダレンズ３８等から構成される。フォーカシングスクリーン３４に入射した被写体像光は、その結像面において結像された後、ペンタプリズム３６へと入射する。ペンタプリズム３６は、被写体像光を適宜、反射させて、被写体像光を正立正像に変換する。正立正像に変換された被写体像光は、ファインダレンズ３８により集光された後、光学ファインダ１６に到達する。光学ファインダ１６には、撮像素子１４で撮像された被写体像と同一の被写体像が映し出される。
【００１７】
かかるデジタルカメラを用いて撮影を行う際、ユーザは、その好みや状況に応じて、光学ファインダ１６またはＬＣＤ１８に表示される被写体像を観察する。そして、フォーカスレンズを駆動させて、フォーカス調整を行い、好適な被写体像が得られれば操作部（図示せず）に設けられたレリーズボタンを操作して、撮像を実行する。フォーカス調整の方法としては、ユーザ自身でフォーカス調整を行うマニュアルフォーカスと、カメラ側で自動的にフォーカス調整を行うオートフォーカス（以下「ＡＦ」という）と、がある。マニュアルフォーカスの場合、ユーザは、光学ファインダ１６または電子ファインダに表示された被写体像を確認しながら、適切なフォーカスとなるように、フォーカスレンズ等を駆動させる。
【００１８】
ＡＦの場合、ユーザは、予め、撮影エリアのうちフォーカスを合わせたいエリア、すなわち、ＡＦ検出エリアを指定しておく。このＡＦ検出エリアの指定は、光学ファインダ１６または電子ファインダを観察しながら行う。デジタルカメラ１０の制御ＣＰＵ２８は、撮像素子１４により得られた被写体像の画像データのうち、指定されたＡＦ検出エリアに相当する領域の画像データをＡＦ用画像データとして抽出し、当該ＡＦ用画像データに基づいてフォーカス調節を行う。具体的には、ＡＦ用画像データの高周波成分を抽出して積算し、その積算結果であるＡＦ評価値を算出する。そして、このＡＦ評価値が最大となるように、フォーカスレンズを駆動させるのである。ＡＦ評価値が最大となり、フォーカス調節が完了すれば、その旨をユーザに提示する。ユーザは、ＡＦ動作が完了すればレリーズボタンを操作して被写体像の撮像を実行する。
【００１９】
ここで、ＡＦ動作完了の提示は、通常、ファインダにその旨を示すパターンを表示することにより行われる。従来のフィルムカメラでは、ファインダは光学ファインダのみであったため、光学ファインダにのみＡＦ動作完了のパターンを表示すればよかった。この場合、光学ファインダの前方（図１におけるＡ位置）や、斜め上方（図１におけるＢ位置）などにパターン光を発する光源を配置し、当該光源からのパターン光を光学ファインダに導くことによりＡＦ動作完了を通知していた。
【００２０】
しかし、デジタルカメラの場合は、光学ファインダのほかに、電子ファインダ（ＬＣＤ）も備えており、この両ファインダのうちいずれを使用するかはユーザの好みや状況によって異なる。そのため、ＡＦ動作完了を通知するためのパターンは、光学ファインダおよび電子ファインダの両方に表示されている必要がある。しかし、従来の光源配置の技術では、光学ファインダにパターン光を表示させることはできても、電子ファインダにはパターン光を表示できなかった。もちろん、電気的制御を行うことにより、電子ファインダの画面に、被写体像とともにＡＦ動作完了を示すパターン像を表示させることは可能である。しかし、その場合は、パターン像表示のための専用の処理系統が必要となり、デジタルカメラの制御構成を複雑にする。また、光学ファインダ用の光源とは別に新たな光源を用意し、当該光源からの光を撮像素子に導くことにより、ＬＣＤにパターン光を映し出すことも考えられる。しかし、その場合は、新たな光源および当該光源を制御する制御系が必要となり、やはり、構成の複雑化、および、コスト増加を招く。
【００２１】
そこで、本実施形態では、ＡＦ動作の状態を示すパターン光を照射する発光部材２４を、ペリクルミラー２２の略下方に設けている。ペリクルミラー２２の下方には、ミラーボックス４２が設けられており、このミラーボックス４２の内部には、以下で詳説する発光部材２４の他、オートアイリス（以下「ＡＥ」という）のための測光センサや、各種制御回路等が収納されている。このミラーボックス４２の上面の一部は開口しており、この開口部から、光を照射できる位置に発光部材２４が設けられている。より具体的には、発光部材２４は、ペリクルミラー２２を挟んでフォーカシングスクリーン３４に正対する位置に設けられる。発光部材２４の光軸は、撮影レンズ系１２の光軸に対して略垂直であり、ペリクルミラー２２に対しては略４５度傾斜している。
【００２２】
発光部材２４は、光源となるＬＥＤ４４と、投光レンズ４６と、絞り部材４８と、を備えている。ＬＥＤ４４は、複数のＬＥＤ素子４９を備えており、適宜、点灯させるＬＥＤ素子４９を切り替えることが出来るようになっている。そして、点灯させるＬＥＤ素子４９を適宜、変更することにより、位置や形状の異なる複数種類のパターン光が照射される。
【００２３】
複数のＬＥＤ素子４９のうち、いずれを点灯させ、いずれを消灯させるかは、ＬＥＤ発光制御回路２６および制御ＣＰＵ２８により制御されている。制御ＣＰＵ２８は、ＡＦ動作の状態に応じて、点灯または消灯させるＬＥＤ素子４９を決定し、それをＬＥＤ発光制御回路２６に指示する。ＬＥＤ発光制御回路２６は、指示されたＬＥＤ素子４９の点灯、消灯を実行する。具体的には、制御ＣＰＵ２８は、ＡＦ動作が完了したときには、それを示すパターン光を照射できるＬＥＤ素子４９を、ＡＦ動作が失敗したときには、それを示すパターン光を照射できるＬＥＤ素子４９の点灯を指示する。また、実際に撮像処理が開始される場合には、全ＬＥＤ素子４９の消灯を指示する。これにより、撮像画像データに、ＬＥＤ素子４９の光の映りこみを防止している。
【００２４】
投光レンズ４６は、ＬＥＤ４４の照射方向においてＬＥＤ４４に近接対向して配置されており、ＬＥＤ４４から照射された光を集光する。絞り部材４８は、投光レンズ４６に近接対向しており、投光レンズ４６を透過した光を絞る。この絞り部材４８により、光の拡散が防止され、安定したパターン光が照射されることになる。この絞り部材４８には、各ＬＥＤ素子４９に対応した絞り孔４８ａが複数形成されている。絞り孔４８ａは、形成したいパターン光の形状に応じた形状となっている。そして、各ＬＥＤ素子４９から発せられた光は対応する絞り孔４８ａを通過することにより、所定の形状のパターン光に変換される。
【００２５】
ＡＦ動作の完了時、または、ＡＦ動作の失敗時には、発光部材２４から所定のパターン光が照射される。発光部材２４から照射されたパターン光は、上方、すなわちペリクルミラー２２へと到達する。ペリクルミラー２２は、到達したパターン光の一部を透過させ、一部を反射させる。ペリクルミラー２２で反射したパターン光は、略９０度折れ曲がり、撮像素子１４へと至る。撮像素子１４は、このパターン光と、撮影レンズ系１２から入射された被写体像と、をまとめて光電変換するとともにＡ／Ｄ変換して制御ＣＰＵ２８に送信する。制御ＣＰＵ２８では、得られたデジタル信号に基づき撮像画像データを生成し、当該撮像画像をＬＣＤ１８に表示させる。したがって、ＬＣＤ１８には、被写体像とともに、ＡＦ動作状況（完了または失敗）を示すパターン光も表示されることになる。ユーザは、ＬＣＤ１８に表示されるパターン光の有無、および、パターン光の態様（位置、形状）を観察することで、ＡＦ動作の状況を知ることができる。
【００２６】
一方、ペリクルミラー２２を透過したパターン光は、そのまま、ファインダ光学系２０に至り、被写体像光とともに、光学ファインダ１６へと導かれる。そのため、光学ファインダ１６には、被写体像とともに、ＡＦ動作状況を示すパターン光も表示されることになる。ユーザは、この光学ファインダ１６に表示されるパターン光の有無、および、パターン光の態様を観察することで、ＡＦ動作の状況を知ることができる。
【００２７】
つまり、本実施形態によれば、電子ファインダ（ＬＣＤ１８）および光学ファインダ１６の両方に、ＡＦ動作の状況を示すパターン光が表示されることになる。したがって、ユーザは、電子ファインダ、光学ファインダ１６のいずれを利用した場合であっても、確実に、ＡＦ動作の状況を知ることができる。その結果、ＡＦ撮影時の操作性を向上することができる。また、ペリクルミラー２２の半透過性を利用することにより、単一の発光部材２４および単一のＬＥＤ発光制御回路２６で二つのファインダ（光学ファインダ１６、ＬＣＤ１８）に同時にパターン光を表示することができる。そのため、デジタルカメラ１０の構成、特にＬＣＤ１８への画像表示に関する制御系の構成を簡略化できる。また、部品点数の削減に伴いコストも低減できる。
【００２８】
次に、発光部材２４から照射されるパターン光について、より詳細に説明する。図２は、光学ファインダ１６または電子ファインダ（ＬＣＤ１８）の表示状態を示すイメージ図である。本実施形態の発光部材２４は、ＡＦ検出エリアに対応したパターン光６０が照射可能となっている。既述したように、ＡＦを実行する場合、ユーザは、予め、フォーカスを合わせたいエリアをＡＦ検出エリアとして指定する。本実施形態では、このＡＦ検出エリアは、予め設定された候補エリア５２から選択することにより指定される。候補エリアとしては、撮影エリアの略中央に位置する中央エリア５２ａ、中央エリア５２ａの右側に位置する右側エリア５２ｂ、中央エリア５２ａの左側に位置する左側エリア５２ｃ、中央エリア５２ａの上側に位置する上側エリア５２ｄ、中央エリア５２ａの下側に位置する下側エリア５２ｅの五種類がある。ユーザは、この五種類の候補エリア５２の中からフォーカスを合わせたいエリアをＡＦ検出エリアとして指定する。この指定結果は、制御ＣＰＵ２８に送信され、指定されたＡＦ検出エリアにおいてフォーカスが合うようにフォーカス調節がなされる。
【００２９】
発光部材２４のＬＥＤ４４は、この五種類の候補エリアに対応した五つのＬＥＤ素子４９を有している。そして、各ＬＥＤ素子４９は、点灯した場合に、対応する候補エリアに相当する位置を照射できるように位置調整されている。例えば、上側エリア５２ｄに対応するＬＥＤ素子４９は、点灯することにより、光学ファインダ１６および電子ファインダの上側エリア５２ｄに相当する位置にパターン光６０ｄを表示させることができる。ＬＥＤ発光制御回路２６は、ユーザが選択したＡＦ検出エリアの位置に応じて、この五つのＬＥＤ素子４９のうち点灯させるＬＥＤ素子４９を決定し、ＡＦ動作が完了した場合には、当該ＬＥＤ素子４９のみを点灯させる。例えば、ユーザが上側エリア５２ｄをＡＦ検出エリアとして指定してＡＦ動作が完了した場合には、この上側エリア５２ｄに対応するＬＥＤ素子４９のみを点灯させる。その結果、光学ファインダ１６および電子ファインダには、指定されたＡＦ検出エリアに対応する位置にパターン光６０ｄが写しだされる。ユーザは、このパターン光６０ｄの点灯状況を見ることによりＡＦ動作の完了を、また、パターン光６０ｄの点灯位置を見ることによりＡＦ動作に使用されたＡＦ検出エリアの位置を確認することができる。これにより、より正確なＡＦ撮影が可能となる。
【００３０】
発光部材２４のＬＥＤ４４は、さらに、ＡＦ動作失敗の際に点灯されるＬＥＤ素子４９も備えている。このＬＥＤ素子４９は、撮影エリア５０の周縁近傍を照射可能な位置に配されている。このＬＥＤ素子４９から発せられた光は、所定の形状に形成された絞り孔４８ａを透過することにより、他のＬＥＤ素子４９とは異なる形状のパターン光６０ｆ、例えば、バツ印（×）形状のパターン光６０ｆを形成する。ユーザは、この特殊形状のパターン光６０ｆが光学ファインダ１６および電子ファインダに映し出されれば、ＡＦ動作が失敗したことを認識できる。その場合、ユーザは、撮影条件を変更するなどして、ＡＦ動作ができるように調整する。
【００３１】
このように、ＡＦ動作の状態に応じて、パターン光６０の態様（位置や形状）を変えることにより、ユーザは、より詳細にＡＦ動作の状態を知ることができ、結果として、より好適な撮影が可能となる。
【００３２】
なお、ここで説明したパターン光６０の態様は一例であり、ＡＦ動作に関する情報をユーザに提示できるのであれば、上記態様に限定されない。したがって、必ずしも、ＡＦ検出エリアに応じてパターン光６０の位置を変更しなくてもよい。また、ＡＦ動作完了時にのみパターン光６０を照射し、ＡＦ動作失敗時にはパターン光６０を照射しないようにしてもよい。逆に、ＡＦ動作完了時、ＡＦ動作失敗時だけでなく、ＡＦ動作の過程においても、その旨を示すパターン光６０を照射するようにしてもよい。また、本実施形態では、ＡＦ動作の状態に応じてパターン光６０の位置および形状のみを変えているが、ＡＦ動作の状態に応じてパターン光６０の色や輝度、大きさ等を変えるようにしてもよい。
【００３３】
次に、このデジタルカメラ１０を用いてＡＦ撮影を行う場合の流れについて図３のフローチャートを用いて説明する。デジタルカメラ１０で撮影を行う場合は、まずデジタルカメラ１０の電源をオンにする（Ｆ１０）。これにより、レンズカバー（図示せず）が開かれ、撮影レンズ系１２からの光が撮像素子１４および光学ファインダ１６へ導かれる。また、ＬＣＤ１８も起動し、撮像素子１４で得られた画像データを表示する。
【００３４】
ユーザは、操作部に設けられたスイッチや、ＬＣＤ１８に表示されるメニュー画面等を操作して、所望の撮影条件、例えば、ＡＦの設定や、フラッシュの有無などを設定する（Ｆ１２）。撮影条件が設定できれば、続いて、所望の被写体が、光学ファインダ１６または電子ファインダ（ＬＣＤ１８）の撮影エリア内に収まるようにデジタルカメラ１０の位置を調整する。また、所望の倍率になるように操作部のスイッチ等を操作してズーム調整を行う。
【００３５】
続いて、ユーザは、フォーカスを合わせたい位置をＡＦ検出エリアとして指定する（Ｆ１４）。この指定結果は、制御ＣＰＵ２８に送信される。ＡＦ検出エリアを設定すれば、ユーザは、操作部に設けられたレリーズボタンを半押し（Ｓ１）する（Ｆ１６）。レリーズボタンが半押しされれば、制御ＣＰＵ２８は、ＡＥのための測光、および、ＡＦ動作のための測距を実行する（Ｆ１８、Ｆ２０）。ＡＦ測距は、ＡＦ検出エリアに位置する画像データ、すなわち、ＡＦ用画像データに基づいて行われる。制御ＣＰＵ２８は、フォーカスレンズを駆動しながら、ＡＦ用画像データのＡＦ評価値を算出する。そして、ＡＦ評価値が最大値となれば、合焦したと判断する（Ｆ２２）。
【００３６】
フォーカスレンズを最大量、駆動しても、なお合焦したと判断できない場合は、ＡＦ動作失敗と判断する。この場合は、ＬＥＤ発光制御回路２６にＡＦ動作失敗に応じたＬＥＤ素子４９の点灯を指示する（Ｆ２４）。ＬＥＤ発光制御回路２６は、ＡＦ動作失敗に対応したＬＥＤ素子４９のみを点灯させ、他のＬＥＤ素子４９は消灯状態を維持させる。ＡＦ動作失敗に対応したＬＥＤ素子４９が点灯すれば、光学ファインダ１６および電子ファインダ（ＬＣＤ１８）の両方に、ＡＦ動作失敗を示すパターン光（図２におけるパターン光６０ｆ）が表示される。ユーザは、光学ファインダ１６、電子ファインダのいずれを使用（観察）していた場合であっても、このＡＦ動作失敗を示すパターン光６０ｆを見ることができる。そのため、即座に、ＡＦ動作が失敗であることを認識できる。その場合、ユーザは、被写体までの距離を含めた各種撮影条件を変更して、再度、撮影を行えばよい。
【００３７】
一方、ＡＦ動作により合焦したと判断した場合、制御ＣＰＵ２８は、ＡＦ動作を終了するとともに、点灯すべきＬＥＤ素子４９を決定し、当該ＬＥＤ素子４９の点灯をＬＥＤ発光制御回路２６に指示する（Ｆ２６）。点灯すべきＬＥＤ素子４９は、ＡＦ検出エリアの位置に応じて決定される。すなわち、光学ファインダ１６および電子ファインダにおいて、設定されたＡＦ検出エリアに相当する位置を照射でき得るＬＥＤ素子４９を点灯させる。
【００３８】
制御ＣＰＵ２８からＬＥＤ素子４９点灯の指示を受けたＬＥＤ発光制御回路２６は、指定されたＬＥＤ素子４９を点灯させる。ＬＥＤ素子４９からの光は、ペリクルミラー２２によって一部透過、一部反射して、光学ファインダ１６および撮像素子１４のそれぞれに導かれる。その結果、ＡＦ動作完了を示すパターン光（図２におけるパターン光６０ａ〜６０ｅのいずれか一つ）が、光学ファインダ１６および電子ファインダ（ＬＣＤ１８）の両方に表示される。したがって、ユーザは、光学ファインダ１６、電子ファインダのいずれを使用していても、ＡＦ動作が完了したことを認識することができる。また、このとき、設定されたＡＦ検出エリアに応じた位置にパターン光が表示される。そのため、ユーザは、ファインダに表示されている撮影エリアのうち、何処にフォーカスが合わせられているかが認識できる。その結果、より簡易に、好適な撮影が可能になる。
【００３９】
ＡＦ動作完了したことを認識したユーザは、レリーズボタンを全押し（Ｓ２）し、被写体の撮像を指示する（Ｆ２８）。レリーズスイッチの全押しを検出すれば、制御ＣＰＵ２８は、全ＬＥＤ素子４９の消灯を指示する（Ｆ３０）。この指示を受けたＬＥＤ発光制御回路２６は、全ＬＥＤ素子４９を消灯させる。全ＬＥＤ素子４９を消灯することにより、以下で述べる撮像処理によって得られる画像データへのパターン光の映りこみを防止できる。全ＬＥＤ素子４９が消灯すれば、続いて、制御ＣＰＵ２８は、撮像処理を実行する（Ｆ３２）。具体的には、シャッター４０を閉鎖し、その状態で撮像素子１４の電荷を一掃する（画像データ掃きだし）。続いて、撮像素子１４の電荷が一掃されれば、シャッター４０を開き、撮像画像の露光を開始する。そして、所定の露光時間が経過すれば、シャッター４０を閉鎖し、露光を終了する。さらに、露光により撮像素子１４に溜まった電荷を取り出し、光電変換、Ａ／Ｄ変換を施し、画像データを取得する。そして、得られた画像データを撮像画像データとして、記憶部（図示せず）に記憶させれば、撮影終了となる（Ｆ３４）。
【００４０】
以上の説明から明らかなように、本実施形態のデジタルカメラ１０によれば、ユーザは、光学ファインダ１６、電子ファインダ（ＬＣＤ１８）のいずれを利用していてもＡＦ動作の状態を認識することができる。そのため、ユーザは、撮影に不可欠なフォーカスに関する情報を得ることができ、より好適な撮影が可能となる。また、このＡＦ動作を示すパターン光の両ファインダへの表示は、単一の発光部材２４および単一のＬＥＤ発光制御回路２６によって実現されている。その結果、デジタルカメラ１０の構成を簡略化することができる。また、部品点数削減に伴い、デジタルカメラ１０のコスト低減もできる。
【００４１】
なお、本実施形態では、単一の発光部材２４で複数種類のパターン光を表示していたが、当然、複数の発光部材２４を用いてもよい。すなわち、図４に示すように、二つの発光部材２４ａ，２４ｂを用いて複数種類のパターン光を形成してもよい。この場合、二つの発光部材２４ａ，２４ｂの光軸は平行であってもよいし、図４に示すように互いに傾斜していてもよい。複数の発光部材を用いることにより、パターン光を照射できる範囲が広がり、より多様なパターン光を照射できる。
【００４２】
また、本実施形態では、発光部材２４を、ペリクルミラー２２の略下方に配置している。換言すれば、発光部材２４から照射された光が、直接、ペリクルミラー２２に到達する位置に発光部材２４を配置している。しかし、かかる位置に限らず、発光部材２４の照射光がペリクルミラー２２によって二方向に分岐させられる位置であって、被写体像光の光路から外れた位置であれば、当然、他の位置に設けられていてもよい。例えば、図５に示すように、発光部材２４からの光を、何らかの光学部材を用いてペリクルミラー２２に到達させるようにしてもよい。すなわち、発光部材２４を、ペリクルミラー２２の略斜め下であって、発光部材２４の光軸が撮影レンズ系１２の光軸と平行になるように配置する。そして、発光部材２４とペリクルミラー２２との間に、ミラー等の反射光学部材６２を設け、発光部材２４からの光をペリクルミラー２２の方向に折り曲げる。この場合であっても、発光部材２４の光がペリクルミラー２２により二方向に分岐させられるため、光学ファインダ１６および電子ファインダ（ＬＣＤ１８）の両方でＡＦ動作の状態を確認することができる。
【００４３】
また、本実施形態では、発光部材２４から発せられるパターン光により、ＡＦ動作の状況を通知しているが、当然、他の撮影条件を通知するようにしてもよい。例えば、フラッシュの充電待機状態や、撮影モード（例えば、オート撮影モード、マクロ撮影モードなど）などを、発光部材２４からのパターン光を用いてユーザに通知してもよい。
【図面の簡単な説明】
【００４４】
【図１】本発明の実施形態であるデジタルカメラの概略構成を示す図である。
【図２】ファインダでの表示内容を示すイメージ図である。
【図３】ＡＦでの撮影の流れを示すフローチャートである。
【図４】他の実施形態であるデジタルカメラの概略構成を示す図である。
【図５】他の実施形態であるデジタルカメラの概略構成を示す図である。
【符号の説明】
【００４５】
１０  デジタルカメラ、１２  撮影レンズ系、１４  撮像素子、１６  光学ファインダ、１８  ＬＣＤ（電子ファインダ）、２０  ファインダ光学系、２２  ペリクルミラー、２４  発光部材、２６  ＬＥＤ発光制御回路、２８  制御ＣＰＵ、４４  ＬＥＤ、４６  投光レンズ、４８  絞り部材、５０  撮影エリア、５２  候補エリア、６０  パターン光、６２  反射光学部材。
【図１】
2006350253.tif 000003
【図２】
2006350253.tif 000004
【図３】
2006350253.tif 000005
【図４】
2006350253.tif 000006
【図５】
2006350253.tif 000007